(57)【特許請求の範囲】
【請求項１】
一方の羽板側に設けられ、長手方向に沿ってエア流通溝が形成されているシリンダーと、
他方の羽板から延設され、前記シリンダー内に配置されている操作ロッドと、
前記操作ロッドの外周に形成されている傾斜部を有するカム溝と、
前記シリンダー内に収容配置されている略有底円筒状のピストンと、
前記ピストンの所定位置で内側に突出して設けられ、前記カム溝と係合する係合部と、
前記シリンダー内に設けられるエア制御部と、
前記エア制御部と前記ピストンの底部との間に形成されるエア溜まりと前記エア流通溝とを隔てる内筒とを備え、
前記カム溝の傾斜部に対する前記係合部の移動に対応して前記ピストンが移動し、
開動作による前記ピストンの移動に応じて、前記エア制御部の吸込弁により、前記シリンダー内のエアを前記エア流通溝を介して前記エア溜まりに導入し、
閉動作による前記ピストンの移動に応じて、前記エア制御部の排出弁により、前記エア溜まりにあるエアを抑制しながら前記エア流通溝を介して前記シリンダー内に排出することを特徴とするエアダンパー蝶番。
【請求項２】
前記吸込弁を、
前記エア流通溝からのエアを導入する導入路と、
前記導入路の前記ピストン側の端部に配置される弁板とから構成し、
前記導入路の端部から前記弁板を浮き上がらせることにより、前記エア溜まりにエアを導入すると共に、
前記エア排出時に前記導入路の端部に前記弁板を当接して、前記導入路からのエアの排出を不能にすることを特徴とする請求項１記載のエアダンパー蝶番。
【請求項３】
前記排出弁を、
略有底円筒状の基体と、
前記基体の周壁の所定位置に形成されているエア排出穴と、
前記基体の底部の略中央に形成されているエア取入穴と、
前記基体の周壁内面に螺合される螺子部の先端に設けられ、前記エア取入穴内に配置されるニードル部とから構成することを特徴とする請求項１又は２記載のエアダンパー蝶番。
【請求項４】
前記係合部を前記ピストンの周壁に形成されている穴に転動可能に配設される球体とすることを特徴とする請求項１〜３の何れかに記載のエアダンパー蝶番。
【請求項５】
前記エア制御部を前記他方の羽板と逆側に配置すると共に、
前記操作ロッドの外周に形成されている傾斜部を有する別のカム溝を前記カム溝に対して前記他方の羽板側に設け、
前記シリンダー内の前記別のカム溝に対応する位置に略円筒状の別のピストンを収容配置し、
前記別のカム溝を係合する別の係合部を前記別のピストンの所定位置で内側に突出して設け、
前記カム溝の前記他方の羽板側に設けられるバネ受部と前記別のピストンとの間に弾性バネを配置し、
開動作による前記別のカム溝の傾斜部に対する前記別の係合部の移動に対応して前記別のピストンが移動して、前記別のピストンの付勢で前記弾性バネが収縮し、
前記弾性バネの復元による閉動作により前記別のピストンが移動して、前記別の係合部が前記別のカム溝と係合している前記操作ロッドが回動することを特徴とする請求項１〜３の何れかに記載のエアダンパー蝶番。
【請求項６】
前記別のカム溝の傾斜部を、閉動作の中間期に対応する部分よりも閉動作の終期に対応する部分で急峻な角度に形成することを特徴とする請求項５記載のエアダンパー蝶番。
【請求項７】
少なくとも前記係合部及び前記別の係合部のいずれか一方を前記ピストン及び前記別のピストンの周壁に形成されている穴に転動可能に配設される球体とすることを特徴とする請求項５又は６記載のエアダンパー蝶番。
【請求項８】
一方の羽板側に設けられ、長手方向に沿ってエア流通溝が形成されているシリンダーと、他方の羽板から延設され、前記シリンダー内に配置されている操作ロッドと、前記操作ロッドの外周に形成されている傾斜部を有するカム溝と、前記シリンダー内に収容配置されている略有底円筒状のピストンと、前記ピストンの所定位置で内側に突出して設けられ、前記カム溝と係合する係合部と、前記シリンダー内に設けられるエア制御部と、前記エア制御部と前記ピストンの底部との間に形成されるエア溜まりと前記エア流通溝とを隔てる内筒とを備え、前記カム溝の傾斜部に対する前記係合部の移動に対応して前記ピストンが移動し、開動作による前記ピストンの移動に応じて、前記エア制御部の吸込弁により、前記シリンダー内のエアを前記エア流通溝を介して前記エア溜まりに導入し、閉動作による前記ピストンの移動に応じて、前記エア制御部の排出弁により、前記エア溜まりにあるエアを抑制しながら前記エア流通溝を介して前記シリンダー内に排出するエアダンパー蝶番と、
一方の羽板側に設けられるシリンダー内の弾性バネの復元力により他方の羽板を閉扉方向に回動する自動閉扉蝶番と、
を具備することを特徴とする自動閉扉機構。
【発明の詳細な説明】
【技術分野】
【０００１】
本発明は、エアダンパーにより閉扉時の衝撃を緩衝するエアダンパー蝶番に係り、特に屋外での使用に適するエアダンパー蝶番及びこれを備える自動閉扉機構に関する。
【背景技術】
【０００２】
従来、エアダンパーにより閉扉時の衝撃を緩衝するエアダンパー蝶番として、特許文献１のエアダンパー蝶番がある。特許文献１のエアダンパー蝶番は、一対の羽板の一方に設けられるシリンダー内にピストンを収容配置し、他方の羽板に上部を固定されている操作ロッドの下部をシリンダー内に配置し、操作ロッドの下部外周に傾斜部と水平部とからなるカム溝を形成し、ピストンに転動可能に配設され内周に突出する球体をカム溝に係合し、カム溝の傾斜部に対する球体の移動に対応してピストンが進退し、閉扉時のピストンの戻り動作によるシリンダー内のエアダンパー作用により閉扉時の衝撃を緩衝するものである。
【０００３】
前記エアダンパー蝶番では、シリンダーの下端にエア流入孔を設け、開扉動作によるピストンの上昇に応じて、外部のエアをエア流入孔からシリンダー内に流入させてエア溜まりを形成すると共に、開扉状態の開放によるピストンのエア溜まりの押圧によりバルブ板をエア流入孔に押し付けて閉塞し、シリンダー内のエアをネジ溝を通して抑制しながら外部に流出して、エアダンパー作用を得ている。
【先行技術文献】
【特許文献】
【０００４】
【特許文献１】特開２００２−３０３０７２号公報
【発明の概要】
【発明が解決しようとする課題】
【０００５】
ところで、特許文献１のエアダンパー蝶番は、シリンダー内に外部からエアを流入させ、外部にエアを流出させるものであるため、屋内で使用する場合には良いものの、屋外で使用する場合には問題を生ずる。即ち、屋外で使用した場合には、流入するエアの中に空気中の塵や雨水が含まれてしまい、シリンダー内に塵や雨水が入り込んでしまう。斯様なシリンダー内に入り込んだ塵や雨水は、エアダンパー蝶番の故障や耐久性の低下の原因となる。そのため、屋外で良好に使用することができるエアダンパー蝶番が求められている。
【０００６】
本発明は上記課題に鑑みて提案するものであり、故障が少なく高い耐久性で、屋外で良好に使用することができるエアダンパー蝶番及びこれを備える自動閉扉機構を提供することを目的とする。
【課題を解決するための手段】
【０００７】
本発明のエアダンパー蝶番は、一方の羽板側に設けられ、長手方向に沿ってエア流通溝が形成されているシリンダーと、他方の羽板から延設され、前記シリンダー内に配置されている操作ロッドと、前記操作ロッドの外周に形成されている傾斜部を有するカム溝と、前記シリンダー内に収容配置されている略有底円筒状のピストンと、前記ピストンの所定位置で内側に突出して設けられ、前記カム溝と係合する係合部と、前記シリンダー内に設けられるエア制御部と、前記エア制御部と前記ピストンの底部との間に形成されるエア溜まりと前記エア流通溝とを隔てる内筒とを備え、前記カム溝の傾斜部に対する前記係合部の移動に対応して前記ピストンが移動し、開動作による前記ピストンの移動に応じて、前記エア制御部の吸込弁により、前記シリンダー内のエアを前記エア流通溝を介して前記エア溜まりに導入し、閉動作による前記ピストンの移動に応じて、前記エア制御部の排出弁により、前記エア溜まりにあるエアを抑制しながら前記エア流通溝を介して前記シリンダー内に排出することを特徴とする。
前記構成では、シリンダーと外部のエアの流入出を行わずに、シリンダー内のエアのエア溜まりへの導入及びエア溜まりから抑制しながらのシリンダー内へのエアの排出を行い、外部とのエアの流入出を遮断することができる。従って、屋外で使用した場合にも、空気中の塵や雨水がシリンダー内に入り込むことがなく、エアダンパー蝶番の故障の防止や耐久性の向上を図ることができる。同時に、カム溝の傾斜部に対する係合部の移動に対応するピストンの移動や、エア溜まりから抑制しながらのシリンダー内へのエアの排出により、扉の緩衝されながらの良好な閉動作を行うことができる。また、前記構成は、簡単な構造で容易且つ低コストで製造することができると共に、小型化・軽量化を図ることができる。
【０００８】
本発明のエアダンパー蝶番は、前記吸込弁を、前記エア流通溝からのエアを導入する導入路と、前記導入路の前記ピストン側の端部に配置される弁板とから構成し、前記導入路の端部から前記弁板を浮き上がらせることにより、前記エア溜まりにエアを導入すると共に、前記エア排出時に前記導入路の端部に前記弁板を当接して、前記導入路からのエアの排出を不能にすることを特徴とする。
前記構成では、エア溜まりにスムーズにエアを導入することができると共に、エア排出時に導入路からのエアの排出を確実に規制し、エアの抑制排出によるエアダンパー作用を確実に得ることができる。
【０００９】
本発明のエアダンパー蝶番は、前記排出弁を、略有底円筒状の基体と、前記基体の周壁の所定位置に形成されているエア排出穴と、前記基体の底部の略中央に形成されているエア取入穴と、前記基体の周壁内面に螺合される螺子部の先端に設けられ、前記エア取入穴内に配置されるニードル部とから構成することを特徴とする。
前記構成では、ニードル部とエア取入穴との間の隙間から適度なエアを抑制排出し、閉扉動作での良好なエアダンパー作用を得ることができる。また、ニードル部を螺合される螺子部の先端に設けることにより、ニードル部のエア取入穴に対する挿入量を調整し、エアの排出量をより適切な量に簡単に調整することができる。
【００１０】
本発明のエアダンパー蝶番は、前記エア制御部を前記他方の羽板と逆側に配置すると共に、前記操作ロッドの外周に形成されている傾斜部を有する別のカム溝を前記カム溝に対して前記他方の羽板側に設け、前記シリンダー内の前記別のカム溝に対応する位置に略円筒状の別のピストンを収容配置し、前記別のカム溝を係合する別の係合部を前記別のピストンの所定位置で内側に突出して設け、前記カム溝の前記他方の羽板側に設けられるバネ受部と前記別のピストンとの間に弾性バネを配置し、開動作による前記別のカム溝の傾斜部に対する前記別の係合部の移動に対応して前記別のピストンが移動して、前記別のピストンの付勢で前記弾性バネが収縮し、前記弾性バネの復元による閉動作により前記別のピストンが移動して、前記別の係合部が前記別のカム溝と係合している前記操作ロッドが回動することを特徴とする。
前記構成では、単独の蝶番にエアダンパー作用と自動閉扉作用を担わせることができ、別の自動閉扉作用を有する蝶番を設けずとも、エアダンパーで緩衝される自動閉扉動作を行わせることができる高機能の蝶番にすることができる。
【００１１】
本発明のエアダンパー蝶番は、前記別のカム溝の傾斜部を、閉動作の中間期に対応する部分よりも閉動作の終期に対応する部分で急峻な角度に形成することを特徴とする。
前記構成では、弾性バネの復元力が低下する閉動作の終期に対応する部分でより少ない復元力で閉扉動作を行わせることができ、エアの抑制排出に抗して、確実に閉扉動作を持続することができる。
【００１２】
本発明のエアダンパー蝶番は、前記係合部を前記ピストンの周壁に形成されている穴に転動可能に配設される球体とすることを特徴とする。少なくとも前記係合部及び前記別の係合部のいずれか一方を前記ピストン及び前記別のピストンの周壁に形成されている穴に転動可能に配設される球体とすることを特徴とする。
前記構成では、球体をカム溝と係合することにより、よりスムーズな扉の開閉動作を行うことができる。
【００１３】
本発明の自動閉扉機構は、一方の羽板側に設けられ、長手方向に沿ってエア流通溝が形成されているシリンダーと、他方の羽板から延設され、前記シリンダー内に配置されている操作ロッドと、前記操作ロッドの外周に形成されている傾斜部を有するカム溝と、前記シリンダー内に収容配置されている略有底円筒状のピストンと、前記ピストンの所定位置で内側に突出して設けられ、前記カム溝と係合する係合部と、前記シリンダー内に設けられるエア制御部と、前記エア制御部と前記ピストンの底部との間に形成されるエア溜まりと前記エア流通溝とを隔てる内筒とを備え、前記カム溝の傾斜部に対する前記係合部の移動に対応して前記ピストンが移動し、開動作による前記ピストンの移動に応じて、前記エア制御部の吸込弁により、前記シリンダー内のエアを前記エア流通溝を介して前記エア溜まりに導入し、閉動作による前記ピストンの移動に応じて、前記エア制御部の排出弁により、前記エア溜まりにあるエアを抑制しながら前記エア流通溝を介して前記シリンダー内に排出するエアダンパー蝶番と、一方の羽板側に設けられるシリンダー内の弾性バネの復元力により他方の羽板を閉扉方向に回動する自動閉扉蝶番とを具備することを特徴とする。
前記構成では、エアダンパー蝶番とは別に自動閉扉蝶番を設けることにおり、エア溜まりに流入出させるエアの量を増加させ、より大きな力の緩衝を行うことができると共に、独立した自動閉扉蝶番でより大きな力で自動閉扉動作を行うことができる。従って、大きな扉や重い扉に対応することができる。また、既存の自動閉扉蝶番と併せて用いることができるので、コスト低減も図ることができる。
【発明の効果】
【００１４】
本発明のエアダンパー蝶番或いは自動閉扉機構は、シリンダーと外部のエアの流入出を行わずに、シリンダー内のエアのエア溜まりへの導入及びエア溜まりから抑制しながらのシリンダー内へのエアの排出を行い、外部とのエアの流入出を遮断することができる。従って、屋外で使用した場合にも、空気中の塵や雨水がシリンダー内に入り込むことがなく、エアダンパー蝶番の故障の防止や耐久性の向上を図ることができる。同時に、カム溝の傾斜部に対する係合部の移動に対応するピストンの移動や、エア溜まりから抑制しながらのシリンダー内へのエアの排出により、扉の緩衝されながらの良好な閉動作を行うことができる。また、簡単な構造で容易且つ低コストで製造することができると共に、小型化・軽量化を図ることができる。
【図面の簡単な説明】
【００１５】
【図１】本発明による実施形態のエアダンパー蝶番の閉扉状態に対応する状態の縦断面図。
【図２】（ａ）は図１のエアダンパー蝶番のＡ−Ａ線断面図、（ｂ）は図１のエアダンパー蝶番のＢ―Ｂ線断面図。
【図３】図１のエアダンパー蝶番におけるエア制御部の周辺領域を示す縦断面図。
【図４】他方の羽板を除いた状態での図１のエアダンパー蝶番における別のカム溝の周辺領域を示す側面図。
【図５】図１のエアダンパー蝶番の開扉状態に対応する状態の縦断面図。
【発明を実施するための形態】
【００１６】
〔実施形態のエアダンパー蝶番〕
本発明による実施形態のエアダンパー蝶番について図面を参照して説明する。図１は実施形態のエアダンパー蝶番の閉扉状態に対応する状態の縦断面図、図２（ａ）は図１のエアダンパー蝶番のＡ−Ａ線断面図、図２（ｂ）は図１のエアダンパー蝶番のＢ―Ｂ線断面図、図３は図１のエアダンパー蝶番におけるエア制御部の周辺領域を示す縦断面図、図４は図１のエアダンパー蝶番における別のカム溝の周辺領域を示す側面図である。
【００１７】
本実施形態のエアダンパー蝶番は、図１に示すように、一方の羽板１側に設けられるシリンダー３と、他方の羽板２に固定されてシリンダー３内に延設され、シリンダー３内に配置されている操作ロッド４と、シリンダー３内に収容配置されている略有底円筒状のピストン５と、シリンダー３内の他方の羽板２側に収容配置されている略円筒状の別のピストン６と、ピストン５とピストン６との間に設けられている弾性バネ７と、エア制御部８を構成する吸込弁８１及び排出弁８２とを備える。
【００１８】
シリンダー３内には、図２に示すように、長手方向に沿って凹溝状のエア流通溝３１が対向するように形成されており、エア流通溝３１を介してシリンダー３内をエアが移動するようになっている。更に、図１に示すように、後述する操作ロッド４の大径部４１の上側にはベアリング３２が配設され、大径部４１のスムーズな回転を確保すると共に、後述するカム溝４２に対して他方の羽板２側に設けられるバネ受部３３の台となっている。バネ受部３３上には弾性バネ７が収容され、弾性バネ７は上端を略円筒状のピストン６の下端に当接するようにして、バネ受部３３とピストン５との間に配置されている。また、シリンダー３内の略有底円筒状のピストン５に略対応する位置には内筒３４が収容配置され、内筒３４は、後述するエア制御部８とピストン５との間に形成されるエア溜まりＳとエア流通溝３１とを隔てている。
【００１９】
操作ロッド４は、図１に示すように、他方の羽板２と逆側に位置する先端側に大径部４１を有し、大径部４１の外周には対向する位置に一対のカム溝４２・４２が形成されている。カム溝４２は、水平部４２１と、水平部４２１の一方の端部から下方に傾斜して連なる傾斜部４２２とから構成される。また、図４に示すように、操作ロッド４のシリンダー３内の上端部に対応する位置の外周には別のカム溝４３が形成され、カム溝４３はカム溝４２に対して他方の羽板２側に設けられ、対向する位置に一対で形成されている。別のカム溝４３は、水平部４３１と、水平部４３１の一方の端部から上方に傾斜して連なる第１傾斜部４３２と、第１傾斜部４３２の先端から更に急峻な傾斜角度で連なって上方に傾斜する第２傾斜部４３３とから構成される。カム溝４３の傾斜部のうち第１傾斜部４３２は閉動作の中間期に対応する部分であり、第２傾斜部４３３は閉動作の終期に対応する部分である。
【００２０】
略有底円筒状のピストン５は、シリンダー３の長手方向に摺動可能に収容され、大径部４１のカム溝４２に対応する位置に設けられている。ピストン５の周壁の上部には穴５１が形成され、穴５１には球体５２が転動可能に配置されており、球体５２の略半分程度など一部は係合部として周壁内側に突出し、カム溝４２と係合するようになっている。ピストン５の底部５３の周囲には、ピストン５側でエア溜まりＳのエア漏れを防ぐシーリング５４が設けられ、内筒３４と摺動可能に接触している。また、ピストン５の底部５３には、シリンダー３の軸方向に貫通する貫通穴５５が設けられ、貫通穴５５の中間部に貫通穴５５と連通する小穴が形成されているプレート５６が配置されており、後述する排出弁８２からのエアの排出に故障が生じた際等に、エア溜まりＳからピストン５の内側にエアを逃がす機能を担うようになっている。更に、ピストン５の周壁から外側に突出するようにしてローラ５７が設けられ、ローラ５７をエア流通溝３１内に転動可能に配置して、ピストン５の周方向の回転を防止している。
【００２１】
略円筒状の別のピストン６は、シリンダー３の長手方向に摺動可能に収容され、別のカム溝４３に対応する位置に設けられている。別のピストンの６の周壁には穴６１が形成され、穴６１には球体６２が転動可能に配置されており、球体６２の略半分程度など一部は別の係合部として周壁内側に突出し、カム溝４３と係合するようになっている。更に、ピストン６の周壁から外側に突出するようにしてローラ６３が設けられ、ローラ６３をエア流通溝３１内に転動可能に配置して、ピストン６の周方向の回転を防止している。
【００２２】
吸込弁８１と排出弁８２とから構成されるエア制御部８は、シリンダー３内の他方の羽板２と逆側の端部に設けられ、シリンダー３内の他方の羽板２と逆側の端部に取付けられている本体８３と、本体８３の中心に軸方向に捻じ込まれているエア制御ボルト８４と、エア流通溝３１からシリンダー３の半径方向の中心に延びるように本体８３に形成され、エア流通溝３１と連通する流通穴８５と、本体８３の周囲に設けられ、エア制御部８側でエア溜まりＳのエア漏れを防ぐシーリング８６とを有する。
【００２３】
吸込弁８１は、図１及び図３に示すように、流通穴８５と連通し、エア流通溝３１からのエアを流通穴８５を介して導入するための導入路８１１と、導入路８１１のピストン５側に設けられ、エア溜まりＳと一体的に通じている導入空間８１２と、導入路８１１のピストン５側の端部に配置されている環状の弁板８１３とから構成され、弁板８１３の内側部分は本体８３のピストン５側の端面とエア制御ボルト８４との間の隙間に配置されている。
【００２４】
排出弁８２は、図１及び図３に示すように、略有底円筒状の基体８２１と、基体８２１の周壁の所定位置に形成され、流通穴８５と連通するエア排出穴８２２と、他方の羽板２側に位置する基体８２１の底部の略中央に形成されているエア取入穴８２３とを有し、エア取入穴８２３はエア制御ボルト８４の中心に軸方向に形成されているエア流通穴８４１と連通している。基体８２１の周壁内面には螺子部８２４が螺合され、螺子部８２４の先端に設けられているニードル部８２５がエア取入穴８２３内に挿入して配置されており、エア取入穴８２３とニードル部８２５との間の隙間からエアを排出可能になっている。また、螺子部８２４の頭部と基体８２１の底部との間には調整バネ８２６が配置され、螺子部８２４の螺合量を調整してエア取入穴８２３とニードル部８２５との間の隙間の大きさを調整する際に、調整バネ８２６の弾発力で微調整が可能になっている。
【００２５】
次に、本実施形態のエアダンパー蝶番を扉に取り付けた場合のエアダンパー蝶番の動作について説明する。図５は図１のエアダンパー蝶番の開扉状態に対応する状態の縦断面図である。
【００２６】
扉が閉扉状態におけるエアダンパー蝶番は、図１に示す状態にあり、開扉動作をすると図５の状態に移行する。開扉動作時には、操作ロッド４が回転してカム溝４２、４３が回転し、カム溝４２の回転によってカム溝４２と係合する球体５２が傾斜部４２２の下端から水平部４２１に向かって移動し、ピストン５が他方の羽板２側に移動すると共に、カム溝４３の回転によってカム溝４２と係合する球体６２が第２傾斜部４３３から第１傾斜部４３２を経て水平部４３１に向かって移動し、ピストン６が他方の羽板２と逆側に移動する。
【００２７】
ピストン５の他方の羽板２側への移動に伴い、エア溜まりＳが減圧されて吸込弁８１の弁板８１３が浮き上がり、シリンダー３内の図１の略上部にあるエアがエア流通溝３１やエア流通溝３１とローラ５７との間の隙間、流通穴８５、導入路８１１を介して導かれ、弁板８１３の浮き上がりによる導入路８１１の端部の開放により、導入空間８１２、エア溜まりＳへとエアが流入し、エア溜まりＳが大きくなる。尚、ごく僅かなエアは、エア取入穴８２３とニードル部８２５との間の隙間と、エア流通穴８４１からもエア溜まりＳに流入する。また、ピストン６の他方の羽板２の逆側への移動に伴い、ピストン６の端部で押圧される弾性バネ７が収縮する。
【００２８】
更に、開扉動作が進行すると、球体５２がカム溝４２の水平部４２１に移動してピストン５の移動が停止し、エア溜まりＳの増加が停止すると共に、球体６２がカム溝４３の水平部４３１に移動してピストン６が停止し、弾性バネ７の収縮が停止する。球体５２、６２が水平部４２１、４３１に位置すると、ピストン５、６はその位置で停止し、エアダンパー蝶番は図５に示す状態となり、開扉状態が維持される。
【００２９】
その後、エアダンパー蝶番が図５に示す状態、即ち開扉状態から閉扉動作を行うと、球体５２は傾斜部４２２に移動し且つ球体６２は第１傾斜部４３２に移動し、弾性バネ７の復元力でピストン６が他方の羽板２側に付勢される。このピストン６の付勢移動により、球体６２が第１傾斜部４３２から第２傾斜部４３３に向かって移動し、これに伴って操作ロッド４が閉扉方向に回動して閉扉動作が行われる。また、この操作ロッド４の回動により、球体５２が傾斜部４２２の他方の羽板２と逆側の端部に向かって移動し、ピストン５が他方の羽板２と逆側に移動する。
【００３０】
そして、ピストン５の他方の羽板２と逆側への移動時には、エア溜まりＳの加圧により、弁板８１３が導入路８１１の端部に押圧されて当接し、導入路８１１を閉塞して導入路８１１からのエアの排出を不能にすると共に、エア溜まりＳのエアが、エア制御ボルト８４のエア流通穴８４１と、排出弁８２のエア取入穴８２３とニードル部８２５との間の隙間、エア排出穴８２２からエア流通溝３１にエアを排出する。この際、エア取入穴８２３とニードル部８２５との間の隙間が狭くなっていることにより、エア溜まりＳのエアは抑制しながら排出され、操作ロッド４の閉扉方向への回動時におけるエアダンパー作用が得られる。エア流通溝３１に排出されたエアは、エア流通溝３１を通ってシリンダー３の図１の略上部に移動する。尚、前記抑制排出されるエアに対して極僅かなエアは、ピストン底部５３の貫通穴５５に設けられているプレート５６の小穴からピストン５の他方の羽板２側に抜けるようになっている。
【００３１】
この際、カム溝４３の閉動作の終期に対応する第２傾斜部４３３は第１傾斜部４３２よりも角度が急峻になっていることから、閉動作の終期における弾性バネ７の復元力の弱まりを補い、エア溜まりＳのエアの弾発力に抗して、確実に閉扉動作を完了させることができる。尚、この第１傾斜部４３２の傾斜角度は水平方向から３０°〜６０°、第２傾斜部４３３の傾斜角度は水平方向から４０°〜６５°として第１傾斜部４３２よりも急な傾斜角度とすると好適である。
【００３２】
上記実施形態のエアダンパー蝶番は、シリンダー３内のエアのエア溜まりＳへの導入及びエア溜まりＳから抑制しながらのシリンダー３内へのエアの排出を行い、外部とのエアの流入出を遮断することができる。従って、屋外で使用した場合にも、空気中の塵や雨水がシリンダー３内に入り込むことがなく、エアダンパー蝶番の故障の防止や耐久性の向上を図ることができると同時に、扉の緩衝されながらの良好な閉扉動作を行うことができる。また、簡単な構造で容易且つ低コストで製造することができると共に、小型化・軽量化を図ることができる。
【００３３】
また、吸込弁８１により、エア溜まりＳにスムーズにエアを導入することができると共に、エア排出時に導入路８１１からのエアの排出を確実に規制し、エアの抑制排出によるエアダンパー作用を確実に得ることができる。また、排出弁８２のニードル部８２５とエア取入穴８２３との間の隙間から適度なエアを抑制排出し、閉扉動作での良好なエアダンパー作用を得ることができる。また、ニードル部８２５を螺合される螺子部８２４の先端に設けることにより、ニードル部８２５のエア取入穴８２３に対する挿入量を調整し、エアの排出量をより適切な量に簡単に調整することができ、特に本実施形態では、調整バネ８２６により一層微妙な調整が可能である。また、単独の蝶番にエアダンパー作用と自動閉扉作用を担わせることができ、別の自動閉扉作用を有する蝶番を設けずとも、エアダンパーで緩衝される自動閉扉動作を行わせることができる高機能の蝶番にすることができる。
【００３４】
〔実施形態の変形例等〕
本明細書開示の発明には、各発明や実施形態等の構成の他に、これらの部分的な構成を本明細書開示の他の構成に変更して特定したもの、或いはこれらの構成に本明細書開示の他の構成を付加して特定したもの、或いはこれらの部分的な構成を部分的な作用効果が得られる限度で削除して特定した上位概念化したものも含まれ、下記のような変形例も包含される。
【００３５】
例えば係合部、別の係合部は球体５２、６２とすると、よりスムーズな扉の開閉動作を行うことができて好適であるが、これに限定されるものではなく、ピストン５、６の周壁から外側に軸を突出して前記軸にローラを回転可能に設け、このローラをカム溝４２、４３に係合する構成、或いはピストン５、６の周壁から外側に突出する突起を形成し、この突起をカム溝４２、４３に係合する構成など、本発明の趣旨の範囲内で適宜である。
【００３６】
また、エア制御部の吸込弁、排出弁の構成は、エア制御部８の吸込弁８１、排出弁８２とすると好適であるが、これに限定されず、例えば吸込弁８１の弁板８１３に導入路８１１に通じる小穴を設け、この小穴を排出弁として用い、前記小穴及び導入路８１１を介してエアを抑制排出する構成とすることも可能である。
【００３７】
また、エアダンパー蝶番とは別に、一方の羽板側に設けられるシリンダー内の弾性バネの復元力により他方の羽板を閉扉方向に回動する自動閉扉蝶番とを設け、これらを組として用いる自動閉扉機構とすることも可能であり、例えば上記実施形態のエアダンパー蝶番からカム溝４３、ピストン６、球体６２、弾性バネ７を除去した構成のエアダンパー蝶番とし、特許文献１の図３に記載されているような自動閉扉蝶番と組み合わせて用いる構成等とすることが可能である。前記構成では、エア溜まりＳとすることが可能な領域を拡げてエア溜まりＳに流入出させるエアの量を増加させ、より大きな力の緩衝を行うことができると共に、独立した自動閉扉蝶番でより大きな力で自動閉扉動作を行うことができる。従って、大きな扉や重い扉に対応することができる。また、既存の自動閉扉蝶番と併せて用いることができるので、コスト低減も図ることができる。尚、本発明のエアダンパー蝶番には、単独では自動閉扉作用がないものも含まれる。
【産業上の利用可能性】
【００３８】
本発明は、例えば屋外の扉に設置されるエアダンパー蝶番として利用することができる。
【符号の説明】
【００３９】
１…一方の羽板  ２…他方の羽板  ３…シリンダー  ３１…エア流通溝  ３２…ベアリング  ３３…バネ受部  ３４…内筒  ４…操作ロッド  ４１…大径部  ４２…カム溝  ４２１…水平部  ４２２…傾斜部  ４３…別のカム溝  ４３１…水平部  ４３２…第１傾斜部  ４３３…第２傾斜部  ５…ピストン  ５１…穴  ５２…球体  ５３…底部  ５４…シーリング  ５５…貫通穴  ５６…プレート  ５７…ローラ  ６…別のピストン  ６１…穴  ６２…球体  ６３…ローラ  ７…弾性バネ  ８…エア制御部  ８３…本体  ８４…エア制御ボルト  ８４１…エア流通穴  ８５…流通穴  ８６…シーリング  ８１…吸込弁  ８１１…導入路  ８１２…導入空間  ８１３…弁板  ８２…排出弁  ８２１…基体  ８２２…エア排出穴  ８２３…エア取入穴  ８２４…螺子部  ８２５…ニードル部  ８２６…調整バネ  Ｓ…エア溜まり
【図１】
0005604093.tif 000002
【図２】
0005604093.tif 000003
【図３】
0005604093.tif 000004
【図４】
0005604093.tif 000005
【図５】
0005604093.tif 000006